(57)【特許請求の範囲】
【請求項１】
作業用の台板を支持し且つ台板の高さを変更できるスタンドであって、スタンド本体と、高さを変更するための補助パイプから成り、補助パイプの両端部付近のそれぞれに２つの長さの異なる結合突部が設けられ、且つ２つの長さの異なる結合突部は直角をなし、補助パイプの一方の端部付近と他方の端部付近に設けられた互いに対応する結合突部はほぼ同じ長さで同じ方向に延びており、スタンド本体には前記結合突部と嵌挿関係で結合して前記補助パイプを保持するための保持部が設けられていることを特徴とする作業用台板のスタンド
【請求項２】
スタンド本体に設けられた保持部はスタンド本体の支持突部に設けられており、前記保持部は支持突部から垂直に突出し、スタンド本体を立てたときに前記支持突部は斜め上方を向いている請求項１記載の作業用台板のスタンド
【請求項３】
スタンド本体に設けられた保持部とスタンド本体との間には、補助パイプが入るだけの間隔がある請求項２記載の作業用台板のスタンド
【発明の詳細な説明】
【０００１】
【発明の属する技術分野】
本発明は、内装業者等の建築関係者あるいは一般大衆が使用する作業用台板のスタンドに関する。
【０００２】
【従来の技術】
従来の作業用台板のスタンドは高さが一定であり、背の高い作業者は腰を低くかがめて作業をしなければならず苦痛であった。
【０００３】
また、背の高い業者に対応するために高いスタンドを用意するためには、標準のスタンドのほかに背の高いスタンドを別に製造しなければならず、費用が高くなり作業所への運搬も手間がかかっていた。
【０００４】
【発明が解決しようとする課題】
本発明は、一種類のスタンドで作業用台板の高さを変更できるスタンドを提供することを目的とする。さらには、作業用台板の高さの変更を非常に簡単に行うことができるスタンドを提供することを目的とするものである。
【０００５】
【課題を解決するための手段】
本発明の請求項１の構成は、作業用の台板を支持し且つ台板の高さを変更できるスタンドであって、スタンド本体と、高さを変更するための補助パイプから成り、補助パイプの両端部付近のそれぞれに２つの長さの異なる結合突部が設けられ、且つ２つの長さの異なる結合突部は直角をなし、補助パイプの一方の端部付近と他方の端部付近に設けられた互いに対応する結合突部はほぼ同じ長さで同じ方向に延びており、スタンド本体には前記結合突部と嵌挿関係で結合して前記補助パイプを保持するための保持部が設けられている。
【０００６】
請求項２は、スタンド本体に設けられた保持部はスタンド本体の支持突部に設けられており、前記保持部は支持突部から垂直に突出し、スタンド本体を立てたときに前記支持突部は斜め上方を向いている要素が請求項１に付加された構成である。。請求項３は、スタンド本体に設けられた保持部とスタンド本体との間には、補助パイプが入るだけの間隔がある要素が請求項２に付加された構成である。
【０００７】
【発明の効果】
本発明は以上のような構成であって、請求項１は、補助パイプの両端部付近のそれぞれに２つの長さの異なる結合突部が設けられ、且つ２つの長さの異なる結合突部は直角をなし、補助パイプの一方の端部付近と他方の端部付近に設けられた互いに対応する結合突部はほぼ同じ長さで同じ方向に延びており、スタンド本体には前記結合突部と嵌挿関係で結合して前記補助パイプを保持するための保持部が設けられている構成である。補助パイプの一方の端部付近と他方の端部付近の対応する結合突部はほぼ同じ長さで同じ方向に延びており、スタンド本体には結合突部と嵌挿関係で結合して補助パイプを保持するための保持部が設けられている。すなわち、補助パイプの両端部の結合突部はそれぞれ対応しており、且つこの結合突部と保持部の結合は嵌挿関係である。したがって、補助パイプは簡単な抜き挿しでスタンド本体に取り付けることができるから、作業用台板の高さの変更を簡単に行うことができる。
【０００８】
さらに請求項１は、補助パイプの両端部付近にそれぞれ長さの異なる２つの結合突部が設けられているので台板をスタンド本体の高さのほかに２種類の高さに変更することができる。また、２つの結合突部は直角をなしている。したがって、補助パイプを使用しない場合にスタンド本体に掛けたときに、２つの結合突部は共に下方を向くので邪魔になることがないのである。
【０００９】
請求項２は、スタンド本体に設けられた保持部はスタンド本体の支持突部に設けられており、保持部は支持突部から垂直に突出し、スタンド本体を立てたときに支持突部は斜め上方を向いているので、保持部も斜め上方を向くことになる。この構成によって、長さの異なる２つの結合突部を有する補助パイプをスタンド本体に取り付けたときに、結合していない方の結合突部を下方に向くようにすることができるから、補助パイプに乗せた作業用台板に結合突部があたることがないのである。
【００１０】
請求項３は、スタンド本体に設けられた保持部とスタンド本体との間には、補助パイプが入るだけの間隔が設けられている。したがって、補助パイプを使用しない場合はスタンド本体と保持部との間の支持突部の上に補助パイプを掛けておくことができるので補助パイプが邪魔になることがない。また、間隔は補助パイプが入るだけの幅であるから、掛けられた補助パイプはガタつくことがないのである。
【００１１】
【発明の実施の形態】
次に本発明の実施の形態を図面に従って説明する。スタンド本体１は、メインパイプ２のほぼ両端部に４本の脚３，３，４，４が回動可能に装着されており、両端部に分かれた一対の脚３，４ごとに連結パイプ５，５で結合されている。一方の連結パイプ５に回動可能に取り付けられた係止パイプ６は、他方の連結パイプ５に係脱可能に係止され、二対の脚３，４の開き角度を一定に保つ作用をなす。
【００１２】
一対の脚３，４の上部にはパイプ状の支持突部７，７が取り付けられている。この支持突部７，７は脚３，４の開く方向に向いて脚と垂直に取り付けられている。また、補助パイプ８を保持するためのパイプ状保持部９が支持突部７に設けられている。この保持部９は支持突部７に直角に且つ上向きに設けられており、保持部９とそれが取り付けられている脚３との間に補助パイプ８が入るだけの間隔が置かれている。なお、メインパイプの中央に設けられた膨出部１０は台板１１が撓むことを防止するためのものである。この膨出部は補助パイプにも設けられている。
【００１３】
補助パイプ８はスタンドの高さを変更するためのものであって、両端部付近にそれぞれパイプ状の短い結合突部１２と長い結合突部１３が直角をなすように取り付けられている。直角をなす短い結合突部１２と長い結合突部１３は一体的に形成されており、補助パイプ本体１４に対して回動可能であり、且つ一定の範囲内でパイプ方向に摺動可能である。これらの短い結合突部１２及び長い結合突部１３は、パイプ状の保持部９に嵌挿し得るように保持部９よりも細く形成されている。結合突部と保持部の嵌挿の関係が逆になってもよいことは勿論である。すなわち、保持部９が長短結合突部１２、１３に嵌挿し得るように細く形成されたものであってもよい。
【００１４】
長短の結合突部１２，１３が補助パイプ本体１４に対して一定の範囲内でパイプ方向に摺動可能である理由は次の通りである。すなわち、長短の結合突部１２，１３が摺動できないときは、補助パイプ８を支持突部７の上に掛けるときに長短の結合突部１２、１３があたらないようにずらさなければならない。そうすると、補助パイプ８はスタンド本体１からはみ出すので、それを防止するために長短の結合突部１２，１３を摺動可能としたのである。長短の結合突部１２，１３自体を摺動すれば補助パイプ８をずらす必要がないからである。
【００１５】
作業をする際に台板１１をスタンド本体１の高さで使用するときは、図３に示したように補助パイプ８は支持突部７に掛けておく。台板１１をスタンド本体１よりも高くして使用するときは、図１及び図２に示したように補助パイプの長短いずれかの結合突部１２，１３を保持部９に嵌挿し、台板１１を補助パイプの上上に乗せて使用する。使用後は係止パイプ６を連結パイプ５から外して脚３を閉じる。そして、係止パイプ６を係止突部１５に係止して脚３が開くことを防止する。
【図面の簡単な説明】
【図１】  本発明の斜視図
【図２】  台板の高さを変化させた状態の側面図
【図３】  本発明の使用状態図
【図４】  スタンド本体の正面図
【図５】  補助パイプの正面図と側面図
【図６】  スタンド本体の組立て方法を示した断面図
【符号の説明】
１  スタンド本体
２  メインパイプ
３  脚
４  脚
５  連結パイプ
６  係止パイプ
７  支持突部
８  補助パイプ
９  保持部
１０  膨出部
１１  台板
１２  短い結合突部
１３  長い結合突部
１４  補助パイプ本体
１５  係止突部
【図１】
0003903461.tif 000002
【図２】
0003903461.tif 000003
【図３】
0003903461.tif 000004
【図４】
0003903461.tif 000005
【図５】
0003903461.tif 000006
【図６】
0003903461.tif 000007